(57)【要約】【課題】  操作に不慣れなユーザーであっても簡単に所望の機能を実行することができるナビゲーション装置及びナビゲーションシステムを提供する。【解決手段】  ナビゲーション装置１００において、所望の機能を実行するための所定の操作順序を記憶する外部メモリ９を備える。操作順序は、例えば、操作に慣れたユーザーなどに所望の機能を伝え、その操作に慣れたユーザーなどに、その機能を実行するための所定の操作を実行してもらうことによって外部メモリ９に記憶される。そして、操作に不慣れなユーザーは、その外部メモリ９に記憶された操作順序を再生することによって所望の機能を実行する。【選択図】        図３
2005032147.tif 000002
【特許請求の範囲】
【請求項１】
ユーザーの操作によって発生する操作信号を入力する操作入力部と、
前記操作入力部から入力された操作信号に基づいて、該当する機能を実行する制御部と、
所定の機能を実行するために必要な操作信号の種類および順序に関するデータを登録する登録部とを備え、
前記登録部に登録されたデータに対応する所定の機能の実行が指示されたとき、前記制御部は、前記登録部に登録されたデータに基づいて、所定の機能を実行するための操作信号を取得することを特徴とする操作制御装置。
【請求項２】
前記データは、前記操作入力部によって入力された操作信号の種類および順序であることを特徴とする請求項１に記載の操作制御装置。
【請求項３】
前記操作制御装置は表示手段を備え、
前記表示手段は、前記登録部に登録されたデータに対応する所定の機能の一覧を表示し、
前記制御部は、前記一覧表示された機能の中から一つの機能を選択することによって、当該機能の実行を指示する指示手段を備えることを特徴とする請求項１又は請求項２に記載の操作制御装置。
【請求項４】
前記制御部は、
前記取得した操作信号の順序毎の実行結果を所定の時間間隔で表示手段に表示する遷移表示モードと、前記取得した操作信号の最終的な実行結果を表示手段に表示する簡易表示モードとのいずれかを選択する選択手段を有することを特徴とする請求項１乃至請求項３のいずれかに記載の操作制御装置。
【請求項５】
操作制御装置は、登録モードを有し、
前記登録モードに設定する設定操作がなされた場合に、前記データを登録することを特徴とする請求項１乃至請求項４のいずれかに記載の操作制御装置。
【請求項６】
前記登録部は、取り外し可能であることを特徴とする請求項１乃至請求項５のいずれかに記載の操作制御装置。
【請求項７】
前記操作制御装置は、ナビゲーション装置に適用されることを特徴とする請求項１乃至請求項６のいずれかに記載の操作制御装置。
【請求項８】
ユーザーの操作によって発生する操作信号を入力する操作入力部と、
前記操作入力部から入力された操作信号に基づいて、該当する機能を実行する制御部と、
外部との通信を行う第１通信部とを備える操作制御装置と、
前記操作制御装置の所定の機能を実行するために必要な操作信号の種類および順序に関するデータを作成するデータ作成部と、
前記第１通信部と通信を行うことにより、前記データを前記操作制御装置に送信する第２通信部とを備える外部センターと、
からなる操作制御システムであって、
前記操作制御装置の制御部は、前記外部センターのデータ作成部によって作成されたデータに基づいて、所定の機能を実行するための操作信号を取得することを特徴とする操作制御システム。
【請求項９】
前記操作制御装置は、前記外部センターから取得したデータを登録する第１登録部を備えることを特徴とする請求項８に記載の操作制御システム。
【請求項１０】
前記操作制御装置は表示手段を備え、
前記表示手段は、前記第１登録部に登録されたデータに対応する所定の機能の一覧を表示し、
前記制御部は、前記一覧表示された機能の中から一つの機能を選択することによって、当該機能の実行を指示する指示手段を備えることを特徴とする請求項９に記載の操作制御システム。
【請求項１１】
前記第１登録部は、取り外し可能であることを特徴とする請求項９又は請求項１０に記載の操作制御システム。
【請求項１２】
前記外部センターは、前記データ作成部によって作成されたデータを登録する第２登録部を備えることを特徴とする請求項８乃至請求項１１のいずれかに記載の操作制御システム。
【請求項１３】
前記外部センターは、前記第２登録部に登録されたデータに対応する所定の機能の一覧を作成すると共に、当該一覧を前記第２通信部を介して前記操作制御装置に送信する一覧作成部を備え、
前記操作制御装置は表示手段を備え、
前記表示手段は、前記外部センターから取得した前記一覧を表示し、
前記制御部は、前記一覧表示された機能の中から一つの機能を選択することによって、前記外部センターから当該機能に対応するデータを取得することを指示する第２指示手段を備えることを特徴とする請求項１２に記載の操作制御システム。
【請求項１４】
前記制御部は、
前記取得した操作信号の順序毎の実行結果を所定の時間間隔で表示手段に表示する遷移表示モードと、前記取得した操作信号の最終的な実行結果を表示手段に表示する簡易表示モードとを選択する選択手段を有することを特徴とする請求項８乃至請求項１３のいずれかに記載の操作制御システム。
【請求項１５】
前記操作制御装置は、ナビゲーション装置に適用されることを特徴とする請求項８乃至請求項１４のいずれかに記載の操作制御システム。
【発明の詳細な説明】
【技術分野】
【０００１】
本発明は、操作制御装置及び操作制御システムに関するものである。本発明による操作装置及び操作制御システムは、例えば、車両に搭載されたナビゲーション装置およびナビゲーションシステムなどに適用されるものである。
【背景技術】
【０００２】
従来より、ユーザーに入力画面の操作方法を迅速に把握させることを目的とするナビゲーション装置として、例えば特許文献１に示されるナビゲーション装置がある。
【０００３】
図８は特許文献１におけるナビゲーション装置の入力画面の表示例を示すイメージ図である。このナビゲーション装置は、各種の制御を行う制御装置と、案内情報を表示する表示装置と、案内情報を音声出力する音声出力装置と、入力操作を行うための入力装置とを備えるものである。
【０００４】
制御装置は、例えば、「行き先を選んでください。出発地は×××××です。違っていたら左のヘルプボタンを押し、出発地変更を行ってください」などのメッセージを表示装置に表示する。また、このようなメッセージ表示と同時に「行き先を選んでください」などの音声案内を音声出力装置より出力するものである。
【特許文献１】特開２０００−９７７１９号公報
【発明の開示】
【発明が解決しようとする課題】
【０００５】
しかしながら、上記従来技術では、操作に関する案内情報を表示及び音声出力するのみである。操作に不慣れなユーザーなどが複雑な操作を伴うような機能を実行したい場合、上記のように案内情報が表示及び音声出力されても、その案内情報の意味を理解することができず、所望の機能を実行することができないという問題があった。
【０００６】
本発明は、上記問題点に鑑みなされたものであり、操作に不慣れなユーザーであっても簡単に所望の機能を実行することができる操作制御装置及び操作制御システムの提供を目的とするものである。
【課題を解決するための手段】
【０００７】
請求項１に記載の操作制御装置では、ユーザーの操作によって発生する操作信号を入力する操作入力部と、操作入力部から入力された操作信号に基づいて、該当する機能を実行する制御部と、所定の機能を実行するために必要な操作信号の種類および順序に関するデータを登録する登録部とを備え、登録部に登録されたデータに対応する所定の機能の実行が指示されたとき、制御部は、登録部に登録されたデータに基づいて、所定の機能を実行するための操作信号を取得することを特徴とするとするものである。
【０００８】
これによれば、所望の機能を実行するために必要な操作信号の種類および順序に関するデータを登録しておき、その登録されたデータに対応する所定の機能の実行を指示するだけで、そのデータに対応する機能を実行することができる。従って、操作に不慣れなユーザーであっても簡単に所望の機能を実行することができる。
【０００９】
また請求項２に記載の操作制御装置では、データは、操作入力部によって入力された操作信号の種類および順序であることを特徴とするものである。
【００１０】
例えば、操作に慣れたユーザーなどに所望の機能を伝え、その機能を実行するための操作信号を所定の順序で入力してもらう。このように操作信号を入力すると、その操作信号の種類と順序が記憶部に記憶されるので、データの登録を容易にすることができる。
【００１１】
また請求項３に記載の操作制御装置では、操作制御装置は表示手段を備え、表示手段は、登録部に登録されたデータに対応する所定の機能の一覧を表示し、制御部は、一覧表示された機能の中から一つの機能を選択することによって、その機能の実行を指示する指示手段を備えることを特徴とするものである。
【００１２】
これによれば、どのような機能に対応するデータが登録されているのかを一目で把握することができ、また、一覧の中から所望の機能を選択するだけでその機能を実行できるのでより一層操作が容易となる。
【００１３】
また請求項４に記載の操作制御装置では、制御部は、取得した操作信号の順序毎の実行結果を所定の時間間隔で表示手段に表示する遷移表示モードと、取得した操作信号の最終的な実行結果を表示手段に表示する簡易表示モードと、を選択する選択手段を有することを特徴とするものである。
【００１４】
これによれば、遷移表示モードの場合、取得した操作信号毎に実行結果が表示手段に表示されるので、操作制御装置の操作（操作手順）を表示手段で確認しながら学習することができる。簡易表示モードの場合、取得した操作信号の最終的な実行結果を表示手段に表示するので、実行結果を迅速にユーザーに伝えることができる。これらの遷移表示モードと簡易表示モードを選択できることによって、ユーザーの希望に沿った実行結果の表示を行うことができる。
【００１５】
また請求項５に記載の操作制御装置では、操作制御装置は、登録モードを有し、登録モードに設定する設定操作がなされた場合に、データを登録することを特徴とするものである。
【００１６】
これによれば、機能を登録したい時だけ登録モードに設定することによって、必要なデータだけを登録することができる。
【００１７】
また請求項６に記載の操作制御装置では、記憶部は、取り外し可能であることを特徴とするものである。これによれば、記憶部が取り外し可能であるので、操作順序を記憶した記憶部を別のナビゲーション装置で使用することによって、別のナビゲーション装置でも同様に簡単に所望の機能を実行することができる。
【００１８】
また請求項７に記載の操作制御装置では、前記操作制御装置は、ナビゲーション装置に適用されることを特徴とするものである。これによれば、複雑な操作手順が必要となる場合があるナビゲーション装置に適用すると好適である。
【００１９】
また請求項８に記載の操作制御システムでは、ユーザーの操作によって発生する操作信号を入力する操作入力部と、操作入力部から入力された操作信号に基づいて、該当する機能を実行する制御部と、外部との通信を行う第１通信部とを備える操作制御装置と、操作制御装置の所定の機能を実行するために必要な操作信号の種類および順序に関するデータを作成するデータ作成部と、第１通信部と通信を行うことにより、データを操作制御装置に送信する第２通信部とを備える外部センターとからなる操作制御システムであって、操作制御装置の制御部は、外部センターのデータ作成部によって作成されたデータに基づいて、所定の機能を実行するための操作信号を取得するものである。
【００２０】
これによれば、外部センターにおいて、所定の機能を実行するために必要な操作信号の種類および順序に関するデータが作成され、そのデータが第１及び第２通信部を介して操作制御装置に取得される。このようにして、ユーザーは所望の時期に所定の機能に対応したデータを取得し、そのデータに基づいた機能を実行できるので操作に不慣れなユーザーであっても簡単に所望の機能を実行することができる。
【００２１】
また請求項９に記載の操作制御システムでは、操作制御装置は、外部センターから取得したデータを登録する第１登録部を備えることを特徴とするものである。
【００２２】
これによれば、外部センターから取得したデータを操作制御装置に登録しておくことができるので、一度取得したデータであれば、再度外部センターとの通信を行うことなく所望の機能を実行することができる。
【００２３】
また請求項１０および請求項１１に記載の操作制御システムでの作用・効果に関しては、上述の請求項３および請求項６と同様であるため説明を省略する。
【００２４】
また請求項１２に記載の操作制御システムでは、外部センターは、データ作成部によって作成されたデータを登録する第２登録部を備えることを特徴とするものである。
【００２５】
これによれば、データ作成部によって作成されたデータを登録できるので、一度作成したデータであれば、再度作成する必要がなくなる。
【００２６】
また請求項１３乃至請求項１５に記載の操作制御システムでの作用・効果に関しては、上述の請求項３および請求項４および請求項７と同様であるため説明を省略する。
【発明を実施するための最良の形態】
【００２７】
以下、本発明の実施の形態に関して、図面に基づいて説明する。なお、本実施の形態では、本発明をナビゲーション装置１００に適用した例について説明する。
【００２８】
図１は、本発明の実施の形態に係わる、ナビゲーション装置１００の概略構成を示すブロック図である。同図に示すように、本実施の形態におけるナビゲーション装置１００は、位置検出器１、地図データ入力器６、操作デバイス７、外部メモリ９、表示装置１０、音声出力装置１１、リモコンセンサ１２、送受信機１４及びこれらと接続する制御回路８を備える。
【００２９】
位置検出器１は、いずれも周知の地磁気センサ２、ジャイロスコープ３、距離センサ４、及び衛星からの電波に基づいて車両の位置を検出するＧＰＳ（Global Positioning System）のためのＧＰＳ受信機５を有している。これらは、各々が性質の異なる誤差を持っているため、複数のセンサにより各々補完しながら使用するように構成されている。なお、各センサの精度によっては位置検出器１を上述した内の一部のセンサで構成してもよく、更に、図示しないステアリングの回転センサ等を用いてもよい。
【００３０】
地図データ入力器６は、道路脇施設データ、地図データ、目印データ、背景データ等の各種データ（以下、地図情報とも称する）を入力するための装置であり、制御回路８からの要求により各種データを送信する。これら各種データは、そのデータ量からＣＤ−ＲＯＭまたはＤＶＤ−ＲＯＭを用いるのが一般的であるが、メモリカード、ハードディスクなどを用いてもよい。
【００３１】
操作デバイス７は、例えば、表示装置１０の周囲に設置されたメカニカルなスイッチや、表示部６と一体となったタッチスイッチなどを有し、操作信号などの各種の入力に使用されるものである。また、この操作デバイス７と同等の機能を有するリモコン１３も設けられており、このリモコン１３からの信号は、リモコンセンサ１２を介して入力される。
【００３２】
制御回路８は、通常のコンピュータとして構成されており、内部には周知のＣＰＵ、ＲＯＭ、ＲＡＭ、Ｉ／Ｏ及びこれらの構成を接続するバスラインが備えられている。ＲＯＭには、ナビゲーション装置１００が実行するためのプログラムが書き込まれており、このプログラムに従ってＣＰＵ等が所定の演算処理を実行する。なお、このプログラムは、外部メモリ９を介して外部から取得したりすることもできる。
【００３３】
また、ナビゲーション装置１００の各種の機能は、操作デバイス７によって入力される操作信号と対応して定義されている。制御回路８は、この操作信号に基づいて所定の演算処理を実行することによって情報を生成し、この情報に基づいて案内経路表示等の各種の動作を実行するものである。
【００３４】
表示装置１０は、例えば液晶ディスプレイによって構成され、地図データ入力器６より入力された地図情報によって生成される車両周辺の道路地図や、所定の機能に対応した操作デバイス７としてのタッチスイッチが表示される。音声出力装置１１は、スピーカやオーディオアンプ等から構成されるもので、音声案内等に用いられる。送受信機１４は、外部センター２００とデータ通信を行うものであり、この送受信機１４を介して後述する操作順序や、地図、音楽、電子書籍、ゲームなどのデータを取得する。
【００３５】
次に、本発明の実施の形態におけるナビゲーション装置１００の処理動作に関して説明する。
【００３６】
まず、ナビゲーション装置１００の所定の機能を実行するために必要な操作デバイス７によって入力される操作信号の種類および順序に関するデータ（以下、操作順序とも称する）の登録処理に関して説明する。
【００３７】
図２は、本発明の実施の形態に係わる、ナビゲーション装置１００の登録処理動作を示すフロー図である。図４は、本発明の実施の形態に係わる、表示装置１０の登録処理時における表示例を示すイメージ図であり、（ａ）は目的地設定メニュー画面であり、（ｂ）は登録ナンバーの指定画面であり、（ｃ）は目的地設定メニュー画面であり、（ｄ）は施設選択画面であり、（ｅ）は目的選択画面であり、（ｆ）は案内経路の表示画面であり、（ｇ）は登録名の入力画面であり、（ｈ）は登録リストの表示画面である。
【００３８】
ステップＳ１では、登録開始であるか否かの判定がなされる。これは、図４（ａ）に示すような表示装置１０の目的地設定メニュー画面において、操作デバイス７によって「登録」が操作されたか否かを判定する。「登録」が操作された場合は、登録開始と判定しステップＳ２へ進み、それ以外の場合は、「登録」が操作されるまでステップＳ１での判定を繰り返す。
【００３９】
ステップＳ２では、登録ナンバーの取得が行われる。これは、図４（ｂ）に示すような表示装置１０の現在登録されている操作順序の登録リストが表示された登録ナンバーの指定画面において、操作デバイス７によって登録ナンバーを指定する。ここでは、「１」及び「７」が登録可能（空き領域）であるので、「１」を指定する。すなわち画面上の「１」を操作デバイス７によって操作すると、登録ナンバーとして「１」が制御回路８へ入力される。登録ナンバーの取得の処理がなされるとステップＳ３へ進む。
【００４０】
ステップＳ３では、操作順序の登録が開始される。操作順序の登録に関して、以下、□□遊園地までの案内経路の設定を行う場合を例にとって説明する。まず、図４（ｃ）に示すように表示装置１０の目的地の検索画面において、「施設」を操作デバイス７によって選択する。そうすると、表示装置１０の画面は図４（ｄ）に示すように施設の一覧が表示され、その画面に中で「遊園地」を操作デバイス７によって選択する。そうすると、表示装置１０の画面は図４（ｅ）に示すように遊園地リストが表示され、その遊園地リストの中から「□□遊園地」を操作デバイス７によって選択する。そうすると、表示装置１０の画面は図４（ｆ）に示すような現在位置から目的地である□□遊園地までの案内経路が表示され経路案内が開始される。この場合、操作順序として「施設」が操作デバイス７によって選択され、次に「遊園地」が操作デバイス７によって選択され、次に「□□遊園地」が操作デバイス７によって選択されるという操作順序が登録ナンバー「１」と関連付けて外部メモリ９に記憶される。操作順序の登録が開始されると、ステップＳ４へ進む。
【００４１】
ステップＳ４では、登録終了の指示があるか否かの判定がなされる。これは、図４（ｆ）に示すような表示装置１０の案内経路の表示画面において「終了」が操作デバイス７によって操作されたかを判定するものである。「終了」が操作された場合は、登録終了と判定しステップＳ６へ進み、「終了」が操作されない場合は、ステップＳ５へ進む。ステップＳ５では、操作順序の登録が行われる。すなわち、ステップＳ４にて登録終了と判定されるまでの操作順序が外部メモリ９に記憶される。
【００４２】
ステップＳ６では、登録名の取得が行われる。これは、図４（ｇ）に示すような表示装置１０の登録名の入力画面で操作順序に適した任意の名称を操作デバイス７によって入力する。この場合、例えば「□□遊園地までの経路案内」などのように入力する。登録名の取得が行われるとステップＳ７へ進む。
【００４３】
ステップＳ７では、格納処理が行われる。これは、ステップＳ２で入力された登録ナンバー「１」とステップＳ６で入力された登録名「□□遊園地までの経路案内」とが関連付けられて登録リストとして外部メモリ９に格納される。このように外部メモリ９に格納された登録リストは、図４（ｈ）に示すような登録リストとして一覧表示される。
【００４４】
次に、上記のように登録された操作順序の呼出処理に関して説明する。図３は、本発明の実施の形態に係わる、ナビゲーション装置１００の呼出処理動作を示すフロー図である。図５は、本発明の実施の形態に係わる、表示装置１０の呼出処理時における表示例を示すイメージ図であり、（ａ）はメニュー画面であり、（ｂ）は選択画面であり、（ｃ）は案内経路画面である。
【００４５】
ステップＳ１１では、呼出指示があるか否かの判定がなされる。これは、図４（ａ）に示すような目的地設定メニュー画面において「登録一覧」が操作デバイス７によって操作されたか否かを判定する。「登録一覧」が操作された場合は、呼出指示有りと判定しステップＳ１２へ進み、「登録一覧」が操作されるまでステップＳ１１での判定を繰り返す。
【００４６】
ステップＳ１２では、登録一覧の表示が行われる。これは、登録リストが外部メモリ９から呼出され、図５（ｂ）に示すような選択画面（登録一覧）が表示装置１０に表示される。登録一覧の表示が行われるとステップＳ１３へ進む。
【００４７】
ステップＳ１３では、呼出登録ナンバーの指示があるか否かの判定がなされる。以下、呼出登録ナンバーとして「１」が指示された場合を例にとって説明する。これは、図５（ｂ）に示す登録リストが表示された表示装置１０の選択画面において、所望の登録ナンバー「１」が操作デバイス７によって操作された場合は、呼出登録ナンバーの指示有りと判定しステップＳ１５へ進み、登録ナンバーの操作がなされるまでステップＳ１３の判定を繰り返す。
【００４８】
ステップＳ１４では、呼出登録ナンバーに関連する操作順序の取得が行われる。これは、ステップＳ１３にて指示された登録ナンバーと関連付けて外部メモリ９に記憶されている操作順序を制御回路８が取得する。この例の場合、操作順序として「施設」が操作され、次に「遊園地」が操作され、次に「□□遊園地」が操作されるという順序を制御回路８が取得する。呼出登録ナンバーの取得が行われるとステップＳ１５へ進む。
【００４９】
ステップＳ１５では、操作順序の再生が行われる。制御回路８は、ステップＳ１４にて外部メモリ９から取得した操作順序毎に対応する操作信号に基づいて所定の演算処理を実行することによって情報を生成し、この情報に基づいて案内経路表示等の各種の動作を実行する。この例の場合、「施設」が操作され、次に「遊園地」が操作され、次に「□□遊園地」が操作された結果であり、図５（ｃ）に示すような現在位置から目的地である□□遊園地までの案内経路を表示装置１０に表示する。なお、このような経路案内に関する操作順序が再生される場合は、再生された地点（現在位置）を位置検出器１から取得して、その地点から目的地までの案内経路を表示装置１０に表示する。
【００５０】
このように、所望の機能を実行するための所定の操作順序を外部メモリ９に記憶し、その記憶内容（操作順序）を再生することによって、その所望の機能が実行される。従って、操作に不慣れなユーザーであっても簡単に所望の機能を実行することができる。
【００５１】
なお、操作順序の再生は、取得した操作順序の最終的な実行結果を表示装置１０に表示する簡易表示モードと、取得した操作順序毎の実行結果を所定の時間間隔（例えば、０．５秒間隔）で表示装置１０に表示する遷移表示モードとを操作デバイス７によって選択できるようにしてもよい。図６は、本発明の実施の形態に係わる、表示装置１０の再生処理時における表示例を示すイメージ図であり、（ａ）は目的地設定メニュー画面であり、（ｂ）は施設選択画面であり、（ｃ）は目的選択画面である。
【００５２】
簡易表示モードの場合、上記のステップＳ１５で説明したように、制御回路８は、操作順序を取得すると図５（ｃ）に示すような現在位置から目的地である□□遊園地までの案内経路を表示装置１０に表示する。この簡易表示モードの場合、取得した操作順序の最終的な実行結果を迅速にユーザーに伝えることができる。
【００５３】
遷移表示モードの場合、制御回路８が操作順序を取得すると、まず図６（ａ）に示すような目的地設定メニュー画面において「施設」が選択された時と同じように「施設」を反転表示する。次に、図６（ｂ）に示すような施設リストで「遊園地」が選択された時と同じように「遊園地」を反転表示する。次に、図６（ｃ）に示すような遊園地リストで「□□遊園地」が選択された時と同じように「施設」を反転表示する。そして、図５（ｃ）に示すような現在位置から目的地である□□遊園地までの案内経路を表示装置１０に表示する。この遷移表示モードの場合、取得した操作順序毎の実行結果を表示装置１０に表示するので、ナビゲーション装置１００の操作（操作手順）を表示装置１０で確認しながら学習することができる。
【００５４】
また、操作順序を記憶する外部メモリ９は、取り外しができるものであってもよい。この場合、外部メモリ９が取り外し可能であるので、操作順序を記憶した外部メモリ９を別のナビゲーション装置で使用することによって、別のナビゲーション装置でも簡単に所望の機能を実行することができる。
【００５５】
（変形例）
変形例として、操作デバイスや制御回路や送受信機などを備える外部センター２００で作成された操作順序を無線或いは有線通信によってナビゲーション装置１００へ送信するようにしてもよい。上記実施の形態では、操作順序は操作デバイス７によって入力されるものであるが、変形例では、外部センター２００にて作成されるものである。なお、上記実施の形態との共通部分についての説明は省略する。
【００５６】
外部センター２００の処理動作について説明する。図７は、本発明の実施の形態の変形例に係わる、外部センター２００の処理動作を示すフロー図である。
【００５７】
まず、ステップＳ２１では、操作順序の作成指示があるか否かの判定がなされる。これは、ナビゲーション装置１００のユーザーから車載電話や携帯電話などによって所望の機能を実行するための操作順序の作成指示がある場合は、作成開始と判定してステップＳ２２へ進む。作成指示がない場合は、ステップＳ２１での処理を繰り返す。
【００５８】
ステップＳ２２では、操作順序の作成が行われる。これは、ステップＳ２１にて作成指示された所望の機能を実行するための操作順序を作成する。操作順序の作成が行われるとステップＳ２３へ進む。ステップＳ２３では、操作順序の送信が行われる。これは、ステップＳ２２で作成された操作順序をナビゲーション装置１００へ送信する。
【００５９】
ナビゲーション装置１００は、外部センター２００にて作成された操作順序を送受信機１４を介して取得する。そして、ナビゲーション装置１００は、取得した操作順序毎に対応する操作信号に基づいて所定の演算処理を実行することによって情報を生成し、この情報に基づいて案内経路表示等の各種の動作を実行する。
【００６０】
このように、外部センター２００に所望の機能を伝えると、外部センター２００では、その機能を実行するための操作順序を作成し、その作成した操作順序をナビゲーション装置１００へ送信する。従って、ユーザーは自身の都合の良いタイミングで操作順序を取得し、その操作順序に基づいた機能を実行できる。
【００６１】
また、ナビゲーション装置１００は、外部センター２００から送信された操作順序を外部メモリ９に記憶するようにしてもよい。操作順序を外部メモリ９に記憶することによって、一度取得した操作順序であれば再度外部センター２００と通信を行い作成を指示することなく所望の機能を実行することができる。
【００６２】
また、外部センター２００に記憶装置を備え、この記憶装置に作成した操作順序を登録ナンバーやＩＤなどと関連させて記憶するようにしてもよい。操作順序を記憶装置に記憶することによって、ユーザーからの操作順序の作成指示があった場合、一度作成した操作順序であれば再度作成する必要がなくなる。
【００６３】
また、外部センター２００の記憶装置に操作順序を登録ナンバーやＩＤなどと関連させて記憶する場合、この記憶した操作順序を登録ナンバーやＩＤに基づいて登録リストを作成する。そして、この登録リストをナビゲーション装置１００に送信する。ナビゲーション装置１００では、取得した登録リストが外部メモリ９に格納される。
【００６４】
この場合のナビゲーション装置１００での呼出処理に関しては、上記実施の形態と同様に「登録一覧」が操作デバイス７によって操作されると表示装置１０に選択画面（登録一覧）が表示される。そして、呼出登録ナンバーの指示があった場合は、操作デバイス７によって選択された登録ナンバーに関連する操作順序を外部センター２００から取得する。
【００６５】
従って、外部センター２００にて操作順序を作成する場合でも、どのような機能に対応するデータが登録されているのかを一目で把握することができる。また、登録リストの中から所望の機能を選択するだけでその機能を実行できるのでより一層操作が容易となる。
【００６６】
なお、本実施の形態はナビゲーション装置１００の目的地の設定操作に関して説明したが、本発明はこれに限定されるものではなく、音楽情報等のコンテンツのダウンロードを行う場合等にも適用しても良い。更には、表示装置１０や音声出力装置１１の機能を操作信号と対応させて定義しておくことにより、表示装置１０の明るさ・コントラストの設定や音声出力装置１１の音量設定など全ての操作を本発明で行うことができる。
【図面の簡単な説明】
【００６７】
【図１】本発明の実施の形態に係わる、ナビゲーション装置１００の概略構成を示すブロック図である。
【図２】本発明の実施の形態に係わる、ナビゲーション装置１００の登録処理動作を示すフロー図である。
【図３】本発明の実施の形態に係わる、ナビゲーション装置１００の呼出処理動作を示すフロー図である。
【図４】本発明の実施の形態に係わる、表示装置１０の登録処理時における表示例を示すイメージ図であり、（ａ）は目的地設定メニュー画面であり、（ｂ）は登録Ｎｏの指定画面であり、（ｃ）は目的地設定メニュー画面であり、（ｄ）は施設選択画面であり、（ｅ）は目的選択画面であり、（ｆ）は案内経路の表示画面であり、（ｇ）は登録名の入力画面であり、（ｈ）は登録リストの表示画面である。
【図５】本発明の実施の形態に係わる、表示装置１０の呼出処理時における表示例を示すイメージ図であり、（ａ）は目的地設定メニュー画面であり、（ｂ）は選択画面であり、（ｃ）は案内経路画面である。
【図６】本発明の実施の形態に係わる、表示装置１０の再生処理時における表示例を示すイメージ図であり、（ａ）は目的地設定メニュー画面であり、（ｂ）は施設選択画面であり、（ｃ）は目的選択画面である。
【図７】本発明の実施の形態の変形例に係わる、外部センター２００の処理動作を示すフロー図である。
【図８】従来技術に係わる、ナビゲーション装置の入力画面の表示例を示すイメージ図である。
【符号の説明】
【００６８】
１  位置検出器、２  地磁気センサ、３  ジャイロスコープ、４  距離センサ、５  ＧＰＳ受信機、６  地図データ入力器、７  操作デバイス、８  制御回路、９  外部メモリ、１０  表示装置、１１  音声出力装置、１２  リモコンセンサ、１３  リモコン、１４  送受信機、１００  ナビゲーション装置、２００  外部センター
【図１】
2005032147.tif 000003
【図２】
2005032147.tif 000004
【図３】
2005032147.tif 000005
【図４】
2005032147.tif 000006
【図５】
2005032147.tif 000007
【図６】
2005032147.tif 000008
【図７】
2005032147.tif 000009
【図８】
2005032147.tif 000010